(57)【要約】【課題】しゃもじを保持できるようにした炊飯器において、しゃもじをコンパクトに保持できるようにするとともに、蓋を開けてすぐにそのまましゃもじを使えるようにして使い勝手を向上し、さらに、しゃもじの掬い部に付着し残ったご飯粒の乾燥を防止し衛生的にする。【解決手段】炊飯器本体１の内部に鍋２を収納し、この鍋２を炊飯制御手段により駆動制御する加熱手段により加熱し、炊飯器本体１の上面開口部を蓋により覆うよう構成する。鍋２は、しゃもじ８の握り柄１０に穿孔した貫通孔１１を嵌合する突起６を設けた樹脂製の取っ手７を有し、貫通孔１１を突起６に嵌合してしゃもじ８をご飯に接することなく鍋２内に保持する。【選択図】　図１
2004049369.tif 000002
【特許請求の範囲】
【請求項１】
炊飯器本体と、前記炊飯器本体の内部に収納される鍋と、前記鍋を加熱する加熱手段と、前記加熱手段を駆動制御する炊飯制御手段と、前記炊飯器本体の上面開口部を覆う蓋とを備え、前記鍋は、しゃもじの握り柄に穿孔した貫通孔を嵌合する突起を設けた樹脂製の取っ手を有し、前記貫通孔を突起に嵌合し、前記しゃもじをご飯に接することなく鍋内に保持するようにした炊飯器。
【請求項２】
樹脂製の取っ手は、鍋の周縁の相対する位置に設け、しゃもじは、握り柄に穿孔した貫通孔を前記取っ手に設けた突起に嵌合し、炊飯器本体の側面に沿うように保持した請求項１記載の炊飯器。
【請求項３】
しゃもじの握り柄に穿孔した貫通孔は、握り柄の上部と下部の２箇所に設け、しゃもじの握り柄のみを炊飯器本体の外側に突き出して保持できるようにした請求項１記載の炊飯器。
【請求項４】
しゃもじは、握り柄に左右に屈折可能な関節部を有し、前記しゃもじの握り柄を炊飯器本体の外側に突き出して保持した状態で、前記関節部により炊飯器本体の側面に沿って折り曲げ可能とした請求項３記載の炊飯器。
【請求項５】
しゃもじは、掬い部だけでなく握り柄の樹脂部にも細かな凹凸を施した請求項１〜４のいずれか１項に記載の炊飯器。
【発明の詳細な説明】
【０００１】
【発明の属する技術分野】
本発明は、しゃもじを保持できるようにした炊飯器に関するものである。
【０００２】
【従来の技術】
近年、炊飯器は、炊飯器本体の外側側面に取り付ける別部品のしゃもじ立てにしゃもじを立てるタイプのものが主流になっている。
【０００３】
【発明が解決しようとする課題】
しかしながら、このような炊飯器では、別部品のしゃもじ立てを炊飯器本体の外側側面に取り付けるため、しゃもじ立てが炊飯器本体の側面に突出し、形状が大きくなるとともに、しゃもじをしゃもじ立てに保持するとき、しゃもじをしゃもじ立てに挿入して保持する必要があり、使い勝手が悪いという問題を有していた。
【０００４】
また、ご飯をよそいしゃもじの掬い部にご飯粒が付着した状態で、しゃもじ立てにしゃもじを立てると、しゃもじの掬い部に付着し残ったご飯粒が乾燥してしまい、非衛生となるという問題を有していた。
【０００５】
本発明は上記従来の課題を解決するもので、しゃもじをコンパクトに保持できるようにするとともに、蓋を開けてすぐにそのまましゃもじを使えるようにして使い勝手を向上し、さらに、しゃもじの掬い部に付着し残ったご飯粒の乾燥を防止し衛生的にすることを目的としている。
【０００６】
【課題を解決するための手段】
本発明は上記目的を達成するために、炊飯器本体の内部に鍋を収納し、この鍋を炊飯制御手段により駆動制御する加熱手段により加熱し、炊飯器本体の上面開口部を蓋により覆うよう構成し、鍋は、しゃもじの握り柄に穿孔した貫通孔を嵌合する突起を設けた樹脂製の取っ手を有し、貫通孔を突起に嵌合してしゃもじをご飯に接することなく鍋内に保持するようにしたものである。
【０００７】
これにより、しゃもじをコンパクトに保持できるとともに、蓋を開けてすぐにそのまましゃもじを使えて使い勝手を向上することができ、さらに、しゃもじの掬い部に付着し残ったご飯粒の乾燥を防止できて衛生的にすることができる。
【０００８】
【発明の実施の形態】
本発明の請求項１に記載の発明は、炊飯器本体と、前記炊飯器本体の内部に収納される鍋と、前記鍋を加熱する加熱手段と、前記加熱手段を駆動制御する炊飯制御手段と、前記炊飯器本体の上面開口部を覆う蓋とを備え、前記鍋は、しゃもじの握り柄に穿孔した貫通孔を嵌合する突起を設けた樹脂製の取っ手を有し、前記貫通孔を突起に嵌合し、前記しゃもじをご飯に接することなく鍋内に保持するようにしたものであり、しゃもじをコンパクトに保持できるとともに、蓋を開けてすぐにそのまましゃもじを使えて使い勝手を向上することができ、さらに、しゃもじの掬い部に付着し残ったご飯粒の乾燥を防止できて衛生的にすることができる。
【０００９】
請求項２に記載の発明は、上記請求項１に記載の発明において、樹脂製の取っ手は、鍋の周縁の相対する位置に設け、しゃもじは、握り柄に穿孔した貫通孔を前記取っ手に設けた突起に嵌合し、炊飯器本体の側面に沿うように保持したものであり、炊飯器本体の側面に沿う形で、コンパクトにしゃもじを保持することができる。
【００１０】
請求項３に記載の発明は、上記請求項１に記載の発明において、しゃもじの握り柄に穿孔した貫通孔は、握り柄の上部と下部の２箇所に設け、しゃもじの握り柄のみを炊飯器本体の外側に突き出して保持できるようにしたものであり、しゃもじの握り柄にご飯粒が付着することがなく、また、しゃもじの掬い部を外部に露出させないことで、より衛生的にすることができる。
【００１１】
請求項４に記載の発明は、上記請求項３に記載の発明において、しゃもじは、握り柄に左右に屈折可能な関節部を有し、前記しゃもじの握り柄を炊飯器本体の外側に突き出して保持した状態で、前記関節部により炊飯器本体の側面に沿って折り曲げ可能としたものであり、握り柄を炊飯器本体の側面に沿って前側または後側に折り曲げることができ、コンパクトに保持することができる。
【００１２】
請求項５に記載の発明は、上記請求項１〜４に記載の発明において、しゃもじは、掬い部だけでなく握り柄の樹脂部にも細かな凹凸を施したものであり、使用時の接触面積がより小さくなるので、握り柄の過熱に対する安全性を向上することができる。
【００１３】
【実施例】
以下、本発明の実施例について、図面を参照しながら説明する。
【００１４】
（実施例１）
図２に示すように、炊飯器本体１は、内部に鍋２を着脱自在で収納し、鍋２の底面部に対向するように炊飯器本体１内部に加熱手段３を配置して鍋２を加熱するようにしている。炊飯制御手段４は加熱手段３を駆動制御するものである。蓋５は、炊飯器本体１の上面開口部を開閉自在に覆うよう構成している。
【００１５】
鍋２は、図１に示すように、突起６を設けた樹脂製の取っ手７を鍋２の周縁の相対する位置に設け、これら取っ手７のいずれかにしゃもじ８を保持するよう構成している。しゃもじ８は、図４および図５に示すように、ご飯をよそう掬い部９と握り柄１０とを有し、握り柄１０の上部と下部の２箇所に直径１０〜１５ｍｍの貫通孔１１を穿孔している。
【００１６】
これら貫通孔１１のいずれかを鍋２の取っ手７に設けた突起６に嵌合することにより、しゃもじ８の掬い部９を鍋２内のご飯に接することなく鍋２内に保持するように構成している。このとき、しゃもじ８の握り柄１０は、炊飯器本体１の外側に突き出して保持するようにしている。ここで、しゃもじ８の握り柄１０に薄肉部１２を設け、しゃもじ８を鍋２の取っ手７に保持した状態で、薄肉部１２が鍋２のフランジ部１３に位置し、しゃもじ８を保持した状態で蓋５を閉められるようにしている。
【００１７】
また、しゃもじ８は、図３に示すように、握り柄１０に穿孔した貫通孔１１のいずれかを取っ手７に設けた突起６に嵌合し、炊飯器本体１の側面に沿うようにも保持できるようにしている。
【００１８】
上記構成において作用を説明する。被調理物を入れた鍋２を炊飯器本体１に収納し、炊飯制御手段５により駆動制御する加熱手段３により加熱して炊飯を行う。このとき、しゃもじ８は、図３に示すように、炊飯器本体１の側面に沿うように、鍋２に設けた左右いずれかの取っ手７の突起６に貫通孔１１を嵌合させて保持する。このため、従来例のように、炊飯器本体の外側側面に取り付ける別部品のしゃもじ立ては不要となり、コンパクトにすることができる。
【００１９】
炊飯終了後、ご飯を掬うとき以外は、図１に示すように、しゃもじ８を掬い部９が鍋２内のご飯に接することなく鍋２内に保持することで、しゃもじ８をコンパクトに保持できるとともに、蓋５を開けてすぐにそのまましゃもじ８を使うことができ、使い勝手を向上することができ、さらに、しゃもじ８の掬い部９に付着し残ったご飯粒の乾燥を防止することができ衛生的にすることができる。
【００２０】
また、しゃもじ８の握り柄１０のみを炊飯器本体１の外側に突き出して保持できるようにしているので、しゃもじ８の握り柄１０にご飯粒が付着することがなく、また、しゃもじ８の掬い部９を外部に露出させないことで、より衛生的にすることができる。
【００２１】
（実施例２）
図６に示すように、しゃもじ１４は、ご飯をよそう掬い部１５と握り柄１６とを有し、握り柄１６の上部と下部の２箇所に直径１０〜１５ｍｍの貫通孔１７を穿孔し、これら貫通孔１７のいずれかを鍋２の取っ手７に設けた突起６に嵌合することにより、鍋２に保持するように構成している。
【００２２】
このしゃもじ１４は、握り柄１６に左右に屈折可能な関節部１８を有し、しゃもじ１４の握り柄１６を炊飯器本体１の外側に突き出して保持した状態で、関節部１８により炊飯器本体１の側面に沿って折り曲げ可能としている。他の構成は上記実施例１と同じであり、同一符号を付して説明を省略する。
【００２３】
上記構成において作用を説明する。しゃもじ１４の握り柄１６を炊飯器本体１の外側に突き出して、しゃもじ１４を掬い部１５が鍋２内のご飯に接することなく鍋２内に保持することで、しゃもじ１４をコンパクトに保持できるとともに、蓋５を開けてすぐにそのまましゃもじ１４を使うことができ、使い勝手を向上することができ、さらに、しゃもじ１４の掬い部１５に付着し残ったご飯粒の乾燥を防止することができ衛生的にすることができる。
【００２４】
また、しゃもじ１４の握り柄１６にご飯粒が付着することがなく、また、しゃもじ１４の掬い部１５を外部に露出させないことで、より衛生的にすることができる。
【００２５】
さらに、しゃもじ１４の握り柄１６を関節部１８により炊飯器本体１の側面に沿って折り曲げ可能としているので、握り柄１６を炊飯器本体１の側面に沿って前側または後側に略９０度折り曲げることができ、コンパクトに保持することができる。
【００２６】
（実施例３）
図７に示すように、しゃもじ１９は、掬い部（図示せず）だけでなく握り柄２０の樹脂部にも細かな凹凸２１を施している。なお、貫通孔２２は鍋の取っ手に設けた突起に嵌合するものであり、薄肉部２３はが鍋のフランジ部に位置するものである。
【００２７】
この構成により、使用時に握り柄２０を握ったとき、凹凸２１により手が接触する接触面積がより小さくなるので、握り柄２０の過熱に対する安全性を向上することができる。
【００２８】
【発明の効果】
以上のように本発明の請求項１に記載の発明によれば、炊飯器本体と、前記炊飯器本体の内部に収納される鍋と、前記鍋を加熱する加熱手段と、前記加熱手段を駆動制御する炊飯制御手段と、前記炊飯器本体の上面開口部を覆う蓋とを備え、前記鍋は、しゃもじの握り柄に穿孔した貫通孔を嵌合する突起を設けた樹脂製の取っ手を有し、前記貫通孔を突起に嵌合し、前記しゃもじをご飯に接することなく鍋内に保持するようにしたから、しゃもじをコンパクトに保持できるとともに、蓋を開けてすぐにそのまましゃもじを使えて使い勝手を向上することができ、さらに、しゃもじの掬い部に付着し残ったご飯粒の乾燥を防止できて衛生的にすることができる。
【００２９】
また、請求項２に記載の発明によれば、樹脂製の取っ手は、鍋の周縁の相対する位置に設け、しゃもじは、握り柄に穿孔した貫通孔を前記取っ手に設けた突起に嵌合し、炊飯器本体の側面に沿うように保持したから、炊飯器本体の側面に沿う形で、コンパクトにしゃもじを保持することができる。
【００３０】
また、請求項３に記載の発明によれば、しゃもじの握り柄に穿孔した貫通孔は、握り柄の上部と下部の２箇所に設け、しゃもじの握り柄のみを炊飯器本体の外側に突き出して保持できるようにしたから、しゃもじの握り柄にご飯粒が付着することがなく、また、しゃもじの掬い部を外部に露出させないことで、より衛生的にすることができる。
【００３１】
また、請求項４に記載の発明によれば、しゃもじは、握り柄に左右に屈折可能な関節部を有し、前記しゃもじの握り柄を炊飯器本体の外側に突き出して保持した状態で、前記関節部により炊飯器本体の側面に沿って折り曲げ可能としたから、握り柄を炊飯器本体の側面に沿って前側または後側に折り曲げることができ、コンパクトに保持することができる。
【００３２】
また、請求項５に記載の発明によれば、しゃもじは、掬い部だけでなく握り柄の樹脂部にも細かな凹凸を施したから、使用時の接触面積がより小さくなるので、握り柄の過熱に対する安全性を向上することができる。
【図面の簡単な説明】
【図１】本発明の第１の実施例の炊飯器の一部切欠した斜視図
【図２】同炊飯器の断面図
【図３】同炊飯器のしゃもじの他の保持状態の要部斜視図
【図４】同炊飯器のしゃもじの正面図
【図５】同炊飯器のしゃもじの側面図
【図６】本発明の第２の実施例の炊飯器の一部切欠した斜視図
【図７】本発明の第３の実施例の炊飯器のしゃもじの要部正面図
【符号の説明】
１　炊飯器本体
２　鍋
３　加熱手段
４　炊飯制御手段
５　蓋
６　突起
７　取っ手
８　しゃもじ
１０　握り柄
１１　貫通孔
【図１】
2004049369.tif 000003
【図２】
2004049369.tif 000004
【図３】
2004049369.tif 000005
【図４】
2004049369.tif 000006
【図５】
2004049369.tif 000007
【図６】
2004049369.tif 000008
【図７】
2004049369.tif 000009